(57)【要約】      （修正有）【課題】鋼材などの硬質材と樹脂材を適切に使用して、充分な強度と軽量さを持たせ、かつ平易な成形と平易な組立てが可能な幼児前席の構造を提供する。【解決手段】座席体１、足載せ体２、把手体３およびフック部材４Ａと支持部材４Ｂを有する支持体４を構成要素として、座席体、足載せ体、把手体は機能目的に沿った形状に自在成形しやすい樹脂材で製作し、自転車のハンドルに引掛けるフック部材４Ａと座席体と足載せ体を支持する支持部材４Ｂの支持体４は鋼材などの許容応力の高い硬質材で構成する。【選択図】図２
2018047792.tif 000002
【特許請求の範囲】
【請求項１】
自転車用幼児前席に関する構造であって、座席体１、足載せ体２、把手体３およびフック部材４Ａと支持部材４Ｂを有する支持体４を構成要素として、座席体１、足載せ体２、把手体３は一体か別体かまたはそれらの組合せで、機能目的に沿った形状に自在成形しやすい樹脂材で製作し、自転車のハンドル８ａに左右フック部４Ａａが掛けられるフック部材４Ａと、座席体１と足載せ体２を支持する支持部材４Ｂは鋼材などの許容応力の高い硬質材で製作し、
上方視で概ねＵ字形となる支持部材４Ｂの直角部近くの、前方視で前部においてフック部材４Ａを支持部材４Ｂに概ね垂直に連結して支持体４を構成し、支持部材４Ｂは、その左右の直角部から先端の間の座席体１に対応する左右それぞれ少なくとも一か所で座席体１を連結保持し、また同様に足載せ体２に対応する左右それぞれ少なくとも一か所で足載せ体２を連結保持すると共に、足載せ体２と把手体３が別体の場合は、支持部材４Ｂは足載せ体２および把手体３と足載せ体２の上部（把手体３の下部）で一括連結し、またフック部材４Ａは把手体３とその前面の左右それぞれ少なくとも一か所で連結し、さらに自転車のハンドルステム８ｂに対して、把手体３または足載せ体２に設けた少なくともいずれかのステム受部２ｄ、３ｂが、また少なくともいずれかに設けたロック部材５ａとともにハンドルステム８ｂに連結保持するように構成して、
左右それぞれの側面視でフック部材４Ａと支持部材４Ｂが概ねＬ字形に連結された支持体４において、フック部材４Ａと支持部材４Ｂのそれぞれに連結された把手体３が補強材として支持体４を補強するように作用し、さらに支持体４の支持部材４Ｂとフック部材４Ａをはじめとして、把手体３およびステム受部２ｄ、３ｂに加わる力に対して、許容応力の高い硬質材の支持体４を中心にその力に抗するように作用することを特徴とする自転車用幼児前席。
【請求項２】
前記座席体１と前記足載せ体２が別体として、前記支持部材４Ｂもそれらに対応して分割されて接続軸４Ｂｃで接続して構成され、座席体１は固定された足載せ体２に対して支持部材４Ｂの接続軸４Ｂｃを支軸として折りたたみ位置と着座位置間を回動して、着座位置で止まるようにストッパー４Ｂｄ、２ｂが接続軸４Ｂｃまたはその近傍に設けられるように構成されていることを特徴とする請求項１に記載の自転車用幼児前席。
【請求項３】
フック部材４Ａを有する前記支持体４の概ねＵ字形支持部材４Ｂの左右先端を、足載せ体２上部の左右に設けた前後方向の挿入孔２ｃに対して前方から後方に向けて挿入した後で、支持部材４Ｂは座席体１と足載せ体２と把手体３を、フック部材４Ａは把手体３をそれぞれ所定の箇所で連結保持するように構成されていることを特徴とする請求項１または請求項２に記載の自転車用幼児前席。
【発明の詳細な説明】
【技術分野】
【０００１】
本発明は、自転車ハンドル部取付け用幼児前席に関する構造である。
【背景技術】
【０００２】
特許文献１に記載されている自転車のハンドルに引掛けて使用する幼児前席（補助席）は、同一品が人気商品として市販されている。フック片（フック部）とシャッター片（ロック部材）を除いて全体が樹脂構成である。座席本体と足載せ（脚部）兼把手本体は特許文献１の特許技術によってヒンジ軸（支軸）回りに回動可能に成形時に連結され、またフック片は足載せ兼把手本体にこれも成形時に取付けられる。
座席本体は、固定された足載せ兼把手本体に対して、支軸回りに折りたたみ位置と着座位置間を回動し、着座位置で止まるようにする。このために、支軸近辺で両本体の接触によって、座席本体の重量と幼児の体重で支軸回りに発生するモーメントに抗するように、両本体の接触部とその近辺の樹脂部の厚み、形状を考慮している。フック片にも幼児の体重を含む全重量がかかるため、フック片を支える樹脂部分の厚みを増して強度を持たせたり、樹脂内部でのフック片の形状は力に抗するように考慮されていると思われる。特許文献１の例は、以上のように樹脂部に加わる力が大きいために樹脂部の厚み、形状を十分に考慮したものとなっている。
【０００３】
一方、特許文献２と３に記載されている幼児前席（補助席）も同種品が市販されており、座席本体は樹脂製のものと鋼製のものがあるが、足載せ兼把手本体は、文献に示される形状で鋼製である。座席本体が鋼製のものは足載せ兼把手本体と一体形であり、座席本体が樹脂製のものは、鋼製の足載せ兼把手本体の一部である支持部材上に座席本体が取付けられており、全重量を支えているのは鋼製の部分である。特許文献２と３の例は鋼製部材が中心であるため重量が大きくなっている。
【先行技術文献】
【特許文献】
【０００４】
【特許文献１】特許第４６９３２７２号
【特許文献２】実用新案第２５１５５８２号
【特許文献３】特開２００２−２４０７６３
【発明の概要】
【発明が解決しようとする課題】
【０００５】
樹脂材を中心に構成する幼児前席（補助席）は、フック片（フック部）の取付部分や座席本体の回動を着座位置で止める接触面やその近辺で力が加わる部分の樹脂厚（樹脂量）を増やしたり、形状的に強度を上げる構造にしたり、また樹脂製の可動軸を特殊構造にしたりしなければならない。これらは高度な製作技術を伴ったり、技術が適切でなければ強度不足やさらなる樹脂量の増加を招くことになる。鋼材を中心に構成する幼児前席（補助席）は、強度面ではそれほど問題ないが、重量が大きいという問題が残る。
本発明はこれらの課題を解決するためのもので、大きな力が加わる部分には
重量はあるが許容応力の高い鋼材などの硬質材を最少限に使用し、その他の部分は樹脂材を使用してそれぞれの使用量を低く抑えて軽量にしながら、適切な形状と厚みによって充分な強度を持たせ、かつ比較的平易な成形技術と平易な組立て手順で製作きる自転車用幼児前席に関する構造を提供することを目的とする。
【課題を解決するための手段】
【０００６】
請求項１の発明の構成上の特徴と作用を示す。請求項１の発明は、自転車のハンドル８ａに掛けて使用する幼児前席に関する構造であって、座席体１、足載せ体２、把手体３およびフック部材４Ａと支持部材４Ｂを有する支持体４を構成要素として、座席体１、足載せ体２、把手体３は一体か別体かまたはそれらの組合せで、機能目的に沿った形状に自在成形しやすい樹脂材で構成し、自転車のハンドル８ａに左右フック部４Ａａが掛けられるフック部材４Ａと、座席体１と足載せ体２を支持する支持部材４Ｂは鋼材などの許容応力の高い硬質材で構成し、
上方視で概ねＵ字形（一本の部材を曲げてＵ字形にしてもよいし、複数の部材で前方に少しはみ出す形でもよい）となる支持部材４Ｂの直角部近くの、前方視で前部（または前面部）においてフック部材４Ａを支持部材４Ｂに概ね垂直に連結して支持体４を構成する。支持部材４Ｂは、その左右の直角部から（後方に位置する）先端の間において、座席体１に対応する左右それぞれ少なくとも一か所で座席体１を連結保持し、また同様に足載せ体２に対応する左右それぞれ少なくとも一か所で足載せ体２を連結保持する。座席体１と足載せ体２が別体の場合は、座席体１と足載せ体２のそれぞれに対して左右それぞれ複数の箇所で連結保持する。同時に、足載せ体２と把手体３が別体の場合は、支持部材４Ｂは足載せ体２および把手体３と足載せ体２の上部（把手体３の下部）の連結箇所（支持部材４Ｂの左右の直角部から先端方向の近辺または少し離れた箇所）で一括連結する。またフック部材４Ａは把手体３とその前面の左右それぞれ少なくとも一か所で連結する。さらに自転車のハンドルステム８ｂに対して、把手体３または足載せ体２に設けた少なくともいずれかのステム受部２ｄ、３ｂが、また少なくともいずれかに設けたロック部材５ａとともにハンドルステム８ｂに連結保持するように構成する。
【０００７】
左右それぞれの側面視でフック部材４Ａと支持部材４Ｂが概ねＬ字形に連結された支持体４において、フック部材４Ａと支持部材４Ｂのそれぞれに連結された把手体３が筋交いと同様の補強材として支持体４を補強するように作用している。さらに支持体４の支持部材４Ｂとフック部材４Ａと、また把手体３およびステム受部２ｄ、３ｂに加わる力に対して、支持体４の硬質材の高い許容応力と把手体およびステム受部２ｄ、３ｂの樹脂の厚み、形状によってそれらの力に抗するように作用する。
フック部材４Ａには下向きに全重量による力（Ｆ１）がかかり、この力に、支点となるフック部４Ａａから重心線（垂線）までの距離（ｒ１）を乗じたモーメント（Ｍ）が発生し、ステム受部２ｄ、３ｂには、このモーメント（Ｍ）をフック部４Ａａとステム受部間の距離（平均距離ｒ２）で割った力（Ｆ２）がハンドルステム８ｂに掛かるが、把手体３のステム受部３ｂは樹脂の厚みによってその力（Ｆ２）に抗し、または足載せ体２のステム受部２ｄの場合は樹脂の厚みかまたは垂直方向のリブでその力に抗するように作用する。フック部材４Ａ、支持部材４Ｂには全重量による力（Ｆ１）がかかり、フック部材４Ａと支持部材４Ｂの連結部を支点とするモーメント（Ｍ）になるが、支持体４が硬質材であることとそのＬ字形構造が把手体３によって補強されることが、この力（Ｆ１）に抗し、モーメント（Ｍ）に抗するように作用する。
【０００８】
以上のように、大きな力が加わるフック部材４Ａと支持部材４Ｂの支持体４にだけ、重量はあるが許容応力の高い硬質材を最少限に使用し、その他の部分は樹脂材を使用してそれぞれの使用量を低く抑えて軽量にしながら、適切な形状と厚みによって充分な強度を持たせている。
【０００９】
請求項２の発明の構成上の特徴と作用を示す。請求項２の発明は、請求項１の構成上の特徴に加えて、前記座席体１と前記足載せ体２が別体として、前記支持部材４Ｂもそれに対応して分割されて接続軸４Ｂｃで接続して構成され、座席体１は固定された足載せ体２に対して支持部材４Ｂの接続軸４Ｂｃを支軸として折りたたみ位置と着座位置間を回動して、着座位置で止まるようにストッパー４Ｂｄ，２ｂが接続軸４Ｂｃまたはその近傍に設けられるように構成されて、
ストッパーは、支持部材４Ｂの座席体支持部４Ｂａと足載せ体支持部４Ｂｂの一方に設けたストップ片４Ｂｄが他方に接触することで、可動側の動きを停止させるように作用するものか、または別体である座席体１と足載せ体２の互いの分割面（接触面）１ａ、２ａが接触するか、または座席体１と足載せ体２のいずれか一方に設けたストップ片２ｂまたは１ｂが他方の接触面１ａまたは２ａに接触することなどによって、可動側の動きを停止させるように作用するものである。この少なくともいずれかの構成と作用を有している。
以上のようにして、幼児前席の不使用時は、座席体１を折りたたんで、幼児前席の占める空間を小さくしている。
【００１０】
請求項３の発明の構成上の特徴と作用を示す。請求項３の発明は、請求項１または請求項２の構成上の特徴に加えて、フック部材４Ａを有する前記支持体４の概ねＵ字形支持部材４Ｂの左右先端を、足載せ体２上部の左右に設けた前後方向の挿入孔２ｃに対して前方から後方に向けて挿入した後で、支持部材４Ｂは座席体１と足載せ体２と把手体３を、フック部材４Ａは把手体３をそれぞれ所定の箇所で連結保持するように構成されている。また足載せ体２と把手体３が別体の場合は、足載せ体２を連結保持する時に把手体３を上方から設置して、足載せ体２の上部（把手体３の下部）で足載せ体２と把手体３と支持部材４Ｂを一括連結するように構成されている。
足載せ体２上部の左右に前後方向の挿入孔２ｃを設けることで、フック部材４Ａと支持部材４Ｂを連結したＵ字形の支持体４を挿入して所定位置に容易に設置できるように作用する。
以上のようにして、フック部材４Ａと支持部材４Ｂを連結したＵ字形の支持体４、座席体１、足載せ体２、把手体３などそれぞれの出来上がったユニットを平易な手順で組立てることができる。
【発明の効果】
【００１１】
本発明の自転車用幼児前席によれば、大きな力が加わるフック部材と支持部材の支持体にだけ、重量はあるが許容応力の高い硬質材を最少限に使用し、その他の部分は樹脂材を使用してそれぞれの使用量を低く抑えて軽量にしながら、適切な形状と厚みによって充分な強度を持たせ、かつ比較的平易な成形技術と平易な組立て手順で製作することができる。
【図面の簡単な説明】
【００１２】
【図１】実施例１の幼児座席（正面図）                      を示す。
【図２】実施例１の幼児座席（右側面図）                    を示す。
【図３】実施例１の幼児座席（平面図）                      を示す。
【図４】実施例１の幼児座席（底面図）                      を示す。
【図５】実施例１の支持体と把手体の取付け（正面図）        を示す。
【図６】実施例１の支持体と把手体の取付け（右側面図）      を示す。
【図７】実施例１の支持体と把手体の取付け（平面図）        を示す。
【図８】実施例１の支持体（平面図、正面図）                を示す。
【図９】実施例１の支持体（右側面図）                      を示す。
【図１０】実施例２の幼児前席の折りたたみ（右側面図）        を示す。
【図１１】実施例２の折りたたみ用支持体の支持部材            を示す。
【図１２】実施例２の接続軸部分の詳細                        を示す。
【発明を実施するための形態】
【００１３】
本発明の実施例１は請求項１と請求項３に関するもので、図１〜図９に基づいて説明する。実施例２は請求項２に関するもので、図１０〜図１２に基づいて説明する。
【実施例１】
【００１４】
実施例１の請求項１の範囲として図１に幼児座席の正面図、図２に右側面図、図３にその平面図、図４にその底面図、図８に支持体の平面図と正面図、図９にその右側面図を示す。
実施例１の幼児前席は、座席体１、足載せ体２、把手体３、フック部材４Ａと支持部材４Ｂから成る支持体４、そしてハンドルステム８ｂを連結保持するロック部材５ａから構成されている。本実施例では、座席体１と足載せ体２は一体であり、把手体３はそれらと別体である。幼児が座る座席体１、幼児の足を載せる足載せ体２、幼児が持つ把手部３ａを有する把手体３はその機能目的に沿った形状に自在成形しやすい樹脂材で構成し、自転車のハンドル８ａに左右フック部４Ａａが掛けられるフック部材４Ａと、座席体１、足載せ体２を保持する支持部材４Ｂは、力の加わる部分であるため許容応力の高い鋼材で構成している。
【００１５】
図８のように、上方視で概ねＵ字形となる支持部材４Ｂの直角部近くの、前方視で前部（または前面部）においてフック部材４Ａを支持部材４Ｂに概ね垂直に溶接で連結して支持体４を構成している。図４のように、支持部材４Ｂはその左右の直角部から後方の先端までの間において座席体１の下部裏面側と足載せ体２の上部裏面側に設けたリブ１ｅ，２ｅに沿うように密着し、座席体１下部の裏面側の左右それぞれ二か所と足載せ体上部の裏面側の左右それぞれ一か所で、リブ１ｅ、２ｅの孔９１ａ、９２ａに螺子（ボルト）５ｃを通して支持部材４Ｂ側のウェルドナット９４ａ、９４ｂに締付けて座席体１と足載せ体２をそれぞれ連結保持し、さらに図８のように、足載せ体２上部の裏面側の支持部材４Ｂの直角部から先端方向の近辺の左右一か所で、足載せ体２上部の孔９２ｄに螺子（ボルト）５ｃを通して把手体３に嵌めこんだナット５ｂに締付けて足載せ体２と把手体３を一括連結している。
また図２、図９のように、フック部材４Ａは、把手体３とその前面の左右それぞれ二か所で、フック部材４Ａの孔９４ｃに螺子（ボルト）５ｃを通して把手体３に嵌めこんだナット５ｂに締付けて把手体３と連結している。
さらに把手体３または足載せ体２に設けたステム受部２ｄ、３ｂが、自転車のハンドルステム８ｂを受けて、ハンドルステム８ｂを挟むようにして足載せ体２に設けたロック部材５ａがハンドルステム８ｂを連結保持するようになっている。
【００１６】
図９のように、左右のフック部材４Ａを支持部材４Ｂに側面視で概ねＬ字形に溶接で連結した支持体４の素材である鋼材の高い許容応力によって、支持部材４Ｂとフック部材４Ａに加わる力に抗し、かつフック部材４Ｂと支持部材４Ａのそれぞれに連結された把手体３が筋交いと同様の補強材として支持体４を補強するように作用している。またステム受部２ｄ、３ｂに加わる力に対して、ステム受部の樹脂の厚み、形状によってその力に抗するように作用している。
【００１７】
フック部材４Ａには下向きに全重量による力（Ｆ１）がかかり、この力に、支点となるフック部４Ａａら重心線（垂線）までの距離（ｒ１）を乗じたモーメント（Ｍ）が発生し、ステム受部２ｄ、３ｂには、このモーメント（Ｍ）をフック部４Ａａとステム受部２ｄ、３ｂ間の距離（平均距離ｒ２）で割った力（Ｆ２）がハンドルステム８ｂに掛かるが、ステム受部は樹脂の厚みと垂直方向のリブでその力（Ｆ２）に抗するように作用している。フック部材４Ａ、支持部材４Ｂには全重量による力（Ｆ１）がかかり、フック部材４Ａと支持部材４Ｂの連結部を支点とするモーメント（Ｍ）になるが、支持体４が鋼材であることとそのＬ字形構造が把手体３によって補強されることが、この力（Ｆ１）に抗し、モーメント（Ｍ）に抗するように作用する。
【００１８】
以上のように、大きな力が加わるフック部材４Ａと支持部材４Ｂの支持体４にだけ、重量はあるが許容応力の高い鋼材を最少限に使用し、その他の部分は樹脂材を使用してそれぞれの使用量を低く抑えて軽量にしながら、適切な形状と厚みによって充分な強度を持たせている。
【００１９】
実施例１の請求項３の範囲として図５に支持体４と把手体３の取付けを表わす正面図、図６にその右側面図、図７にその平面図を示す。
フック部材４Ａを有する支持体４の概ねＵ字形支持部材４Ｂの左右先端を、足載せ体２上部の左右に設けた前後方向の挿入孔２ｃ（図５の斜線部）に対して前方から後方に向けて挿入していく。その後で、前述の通り図４のように支持部材４Ｂはその左右の直角部から後方の先端までの間において座席体１下部の裏面側と足載せ体２上部の裏面側に設けたリブ１ｅ、２ｅに沿うように密着し、座席体１下部の裏面側の左右それぞれ二か所と足載せ体２上部の裏面側の左右それぞれ一か所で、リブ１ｅ、２ｅの孔９１ａ、９２ａに螺子（ボルト）５ｃを通して支持部材４Ｂ側のウェルドナット９４ａ、９４ｂに締付けて座席体１と足載せ体２をそれぞれ連結保持する。さらに足載せ体２を連結保持する時に、図５〜図７のように把手体３を上方から設置して、図８のように足載せ体２上部の裏面側の支持部材４Ｂの直角部から先端方向の近辺の左右一か所で、足載せ体２上部の孔９２ｄに螺子（ボルト）５ｃを通して把手体３に嵌めこんだナット５ｂに締付けて足載せ体２と把手体３を一括連結する。そして、フック部材４Ａを、把手体３とその前面の左右それぞれ二か所で、フック部材４Ａの孔９４ｃに螺子（ボルト）５ｃを通して把手体３に嵌めこんだナット５ｂに締付けて把手体３と連結し、ロック部材５ａを足載せ体２のステム受部２ｄの前面に取付けて組立が完了する。
足載せ体２上部の左右に前後方向の挿入孔２ｃを設けることで、フック部材４Ａと支持部材４Ｂを連結したＵ字形の支持体４を挿入して所定位置に容易に設置できる。
【００２０】
以上のように、フック部材４Ａと支持部材４Ｂを溶接で連結したＵ字形の支持体４、座席体１、足載せ体２、把手体３などそれぞれの出来上がったユニットを平易な手順で組立てることができる。
【実施例２】
【００２１】
実施例２は、請求項２の例であり、図１０に幼児座席の折りたたみ（右側面図）の状態を示し、図１１に折りたたみ用支持体４の支持部材４Ｂを示し、図１２に接続軸４Ｂｃ部分の詳細を示す。
図１０のように、座席体１と足載せ体２を分割して別体とし、支持部材４Ｂもそれらに対応して分割し、接続軸４Ｂｃで接続している。座席体１とそれを支える座席体支持部４Ｂａは、固定された足載せ体２とそれを支える足載せ体支持部４Ｂｂに対して支持部材４Ｂの接続軸４Ｂｃを支軸として折りたたみ位置と着座位置の間を回動して、着座位置で止まるようにストッパー４Ｂｄ、２ｂが接続軸４Ｂｃの近傍に設けられている。
実施例２では、図１１のように支持部材４Ｂの座席体支持部４Ｂａ側の先端下部にストッパー４Ｂｄが付いており、それが着座位置で足載せ体支持部４Ｂｂの下縁部に当たって座席体１と座席体支持部４Ｂａ側の動きを停止させるように作用している。さらにまた、足載せ体２側の分割面に設けたストッパー２ｂが、着座位置で座席体１側の分割面（接触面）に当たって座席体１と座席体支持部４Ｂａ側の動きを停止させるように作用している。
【００２２】
図１２には、接続軸４Ｂｃの詳細を示す。接続軸４Ｂｃは、足載せ体支持部４Ｂｂのウェルドナット４Ｂｃａと共に足載せ体支持部４Ｂｂに溶接された厚み１〜３ｍｍ程度の円筒４Ｂｃｂと締付け用螺子（ボルト）４Ｂｃｃで構成され、この円筒４Ｂｃｂ部分に座席体支持部４Ｂａの孔４Ｂａａを差込み、足載せ体側連結部（孔）９２ａに螺子（ボルト）４Ｂｃｃを通してウェルドナット４Ｂｃａに締付ければ、座席体１を回動するための支軸となる。
【００２３】
また実施例２では、座席体１と座席体支持部４Ｂａが折りたたみ位置にある時、自転車走行で座席体１と座席体支持部４Ｂａが振動しないように座席体支持部４Ｂａと足載せ体支持部４Ｂｂの軽く接触している対抗面において座席体支持部４Ｂａ側に凸状の摩擦部４Ｂｅを持たせて、折りたたみ位置になった時に足載せ体支持部４Ｂｂ側の面に強く押付けられて座席体１をしっかりと保持し、振動しないようにしている。
以上のようにして、幼児前席の不使用時は、座席体１を折りたたんで、幼児前席の占める空間を小さくしている。
【産業上の利用可能性】
【００２４】
本発明は、自転車の幼児前席を製造する産業で利用される。
【符号の説明】
【００２５】
１          座席体
１ａ        接触面（ストップ面  座席体側）
１ｂ        ストッパー（ストップ片  座席体側）
１ｅ        リブ（連結用  座席体側）
２          足載せ体
２ａ        接触面（ストップ面  足載せ体側）
２ｂ        ストッパー（ストップ片  足載せ体側）
２ｃ        挿入孔
２ｄ        ステム受部（足載せ体側）
２ｅ        リブ（連結用  足載せ体側）
２ｆ        足載せ部
３          把手体
３ａ        把手部
３ｂ        ステム受部（把手体側）
４          支持体
４Ａ        フック部材
４Ａａ      フック部
４Ｂ        支持部材
４Ｂａ      座席体支持部
４Ｂａａ    孔（接続軸用  座席体支持部側）
４Ｂｂ      足載せ体支持部
４Ｂｃ      接続軸
４Ｂｃａ    ウェルドナット（接続軸用）
４Ｂｃｂ    円筒（接続軸用）
４Ｂｃｃ    螺子（ボルト）（接続軸用）
４Ｂｄ      ストッパー（ストップ片）
４Ｂｅ      摩擦部
５ａ        ロック部材
５ｂ        ナット
５ｃ        螺子（ボルト）
８ａ        ハンドル
８ｂ        ハンドルステム
９          連結部
９１ａ    （支持部材との）座席体側連結部（孔）
９２ａ    （支持部材との）足載せ体側連結部（孔）
９２ｄ    （支持部材、把手体との）足載せ体側連結部（孔）
９３ｃ    （フック部材との）把手体側連結部（孔）
９３ｄ    （支持部材、足載せ体との）把手体側連結部（孔）
９４ｃ    （把手体との）フック部材側連結部（孔）
９４ａ    （座席体との）支持部材側連結部（ウェルドナット）
９４ｂ    （足載せ体との）支持部材側連結部（ウェルドナット）
９４ｄ    （足載せ体、把手体との）支持部材側一括連結部（孔）
【図１】
2018047792.tif 000003
【図２】
2018047792.tif 000004
【図３】
2018047792.tif 000005
【図４】
2018047792.tif 000006
【図５】
2018047792.tif 000007
【図６】
2018047792.tif 000008
【図７】
2018047792.tif 000009
【図８】
2018047792.tif 000010
【図９】
2018047792.tif 000011
【図１０】
2018047792.tif 000012
【図１１】
2018047792.tif 000013
【図１２】
2018047792.tif 000014